(57)【要約】【課題】  従来の緩み止め構造の座金は、緩み止めが必ずしも十分ではなかった。【解決手段】  本発明の緩み止め座金は、筒状又は傘状の座金の下部に二以上の脚を設け、それら脚は螺子類の締付けにより締付け対象物に押し付けられると圧縮されて、復元バネ力が蓄勢されるようにした。座金は復元バネ力で螺子類の頭部裏面と締付け部材に圧接してボルトやナットが逆回転しにくくなって緩みにくくなるようにしてある。座金に形成した嵌合突起がボルト又はナットの嵌合受け部に嵌合して、ボルト又はナットの緩む方向への回転が規制されてボルト、ナットが緩まないようにした。これら座金をナット又はボルトにスライド可能、回転可能で脱落しないように取り付けた。【選択図】  図１
2006307963.tif 000002
【特許請求の範囲】
【請求項１】
螺子類の頭部の裏面側にセット又は取付け可能な座金において、筒状又は傘状の座金の裾の周方向に二以上の脚が形成され、それら脚は螺子類の締付けによって締付け対象物に押し付けられると圧縮されて復元バネ力が蓄勢されることを特徴とした緩み止め座金。
【請求項２】
螺子類の頭部の裏面側にセット又は取付け可能な座金において、筒状又は傘状に形成された座金の孔の上縁部に嵌合突起が形成され、嵌合突起は座金が螺子類の締付けによって押し付けられると内側に押されて螺子類の嵌合受け部に嵌合してナット又はボルトの回転を規制することを特徴とする緩み止め座金。
【請求項３】
螺子類の頭部の裏面側にセット又は取付け可能な座金において、筒状又は傘状の座金の裾の周方向に二以上の脚が形成され、座金の孔の上縁部に嵌合突起が形成され、前記脚は螺子類の締付けによって締付け対象物に押し付けられると圧縮されて復元バネ力が蓄勢され、前記嵌合突起は座金が螺子類の締付けによって押し付けられると内側に押されて螺子類の嵌合受け部に嵌合してナット又はボルトの回転を規制することを特徴とする緩み止め座金。
【請求項４】
請求項１乃至請求項３のいずれかに記載の螺子類の緩み止め座金を、螺子類の頭部裏面側にスライド及び回転可能であって脱落しないように取付けられたことを特徴とする緩み止め座金付き螺子類。
【請求項５】
請求項２又は請求項３記載の螺子類の緩み止め座金が、螺子類の頭部裏面側にスライド及び回転可能であって脱落しないように取付けられ、螺子類の裏面側に緩み止め座金の嵌合突起が嵌合する嵌合受け部が形成されたことを特徴とする緩み止め座金付き螺子類。
【発明の詳細な説明】
【技術分野】
【０００１】
本発明は木製、樹脂製、ゴム製、金属製といった各種材質製の板材やブロック等を連結したり、締付けたりするナット、ボルト等の螺子類の緩みを防止する緩み止め座金と、その緩み止め座金を取り付けた緩み止め座金付き螺子類に関するものである。
【背景技術】
【０００２】
緩み止め座金及びその座金を取り付けた螺子類は従来から各種ある。例えば、図１１に示すように、複数の被締結部材Ａ、Ｂに差し込み可能な頭部Ｄ付きボルトＣの螺子杆部Ｅに螺合締結されるナットＦに、前記ボルトＣとナットＦとの締付け力を受けて扁平に弾性変形可能な皿バネ座金Ｇを取付けたものがある。この皿バネ座金Ｇは図１１に示すようにナットＦの底面に突出させた係合部Ｈを、座金の中心孔Ｉに回転自在に差込んで取付けてある。図１１に示す皿バネ座金ＧはボルトＣとナットＦを締付けると押されて弾性変形し、変形した皿バネ座金Ｇがその復元バネ力で被締結部材ＡとナットＦの裏面との間に楔状に介在し、ナットを逆回転しにくくして緩み止めナット、ボルトの緩みを防止できるようにしてある（特許文献１参照）。
【０００３】
【特許文献１】特開２００２−１２２１２０号公報
【発明の開示】
【発明が解決しようとする課題】
【０００４】
図１１に示す皿バネ座金Ｇは、通常のボルトやナットよりは緩みにくいが、締付け後の振動で緩むのを完全に防止することはできない。
【課題を解決するための手段】
【０００５】
本発明はほとんど緩むことのない緩み止め座金と、それを組み付けた緩み止め座金付き螺子類を提供するものである。
【０００６】
本発明の緩み止め座金は、螺子類の頭部の裏面側にセット又は取付け可能な座金において、筒状又は傘状の座金の裾の周方向に二以上の脚が形成され、それら脚は螺子類の締付けによって締付け対象物に押し付けられて圧縮されて復元バネ力が蓄勢されるものである。
【０００７】
本発明の緩み止め座金は、筒状又は傘状の座金の孔の上縁部に嵌合突起が形成され、嵌合突起は座金が螺子類の締付けによって押し付けられると内側に押されて螺子類の嵌合受け部に嵌合してナット又はボルトの回転を規制するようにしてある。
【０００８】
本発明の緩み止め座金は、筒状又は傘状の座金の裾の周方向に二以上の脚が形成され、座金の孔の上縁部に嵌合突起が形成され、前記脚は螺子類の締付けによって締付け対象物に押し付けられると圧縮されて復元バネ力が蓄勢され、前記嵌合突起は座金が螺子類の締付けによって押し付けられると内側に押されて螺子類の嵌合受け部に嵌合してナット又はボルトの回転を規制するものである。
【０００９】
本発明の緩み止め座金付き螺子類は、前記いずれかの緩み止め座金を、螺子類の頭部裏面側にスライド及び回転可能であって脱落しないように取付けたものである。
【００１０】
本発明の緩み止め座金付き螺子類は、前記いずれかの嵌合突起を備えた緩み止め座金を、螺子類の頭部裏面側にスライド及び回転可能であって脱落しないように取付け、螺子類の裏面側に緩み止め座金の嵌合突起が嵌合する嵌合受け部を形成したものである。
【発明の効果】
【００１１】
本発明の緩み止め座金は、座金の裾の周方向に二以上の脚を形成し、その脚は螺子類の締付けによって締付け対象物に押し付けられると圧縮されて復元バネ力が蓄勢されるので、その復元バネ力によって座金が螺子類の裏面と締付け対象物とに密接し、摩擦力が大きくなり、座金が回転しにくくなり、締付けた螺子類が緩みにくくなる。
【００１２】
本発明の緩み止め座金は、座金の孔の上縁部に嵌合突起が形成され、嵌合突起は座金を螺子類によって締付けると内側に押されて螺子類の頭部裏面側に形成された嵌合受け部に嵌合して螺子類の回転を規制するので、嵌合突起が嵌合受け部から外れない限り螺子類は緩まない。この緩み止め効果は小型の座金であっても発揮される。
【００１３】
本発明の緩み止め座金付き螺子類は、前記緩み止め座金を螺子類の頭部裏面側に脱落しないように取付けたので、緩み止め座金の緩み止め効果を備えた螺子類となる。また、緩み止め座金を使用時に一々、螺子類にセットする面倒がなく、使い易い。更には、緩み止め座金が螺子類の頭部裏面側にスライド及び回転可能に取付けられているため、螺子類の締付けをスムースに行うことができる。
【００１４】
本発明の緩み止め座金付き螺子類は、前記緩み止め座金を螺子類の頭部裏面側に取付け、螺子類の裏面側に座金の孔の上縁部に形成した嵌合突起が嵌合する嵌合受け部を形成したので、螺子類を締め付けて緩み止め座金を押し付けて圧縮すると、嵌合突起が内側に突出して螺子類の嵌合受け部に自動的に嵌合するので、嵌合突起が嵌合受け部から外れない限り螺子類は逆回転できず、緩むことがない。
【発明を実施するための最良の形態】
【００１５】
（緩み止め座金の実施形態１）
本発明の緩み止め座金の実施形態の一例を図１〜図３を参照して詳細に説明する。これら図の緩み止め座金１は、筒状の座金２の上部３が内側に向けて次第に登り傾斜になる斜面に形成され、上部３の上端三箇所に嵌合突起４が内側向きに突設され、座金２の側面（外周面）５がほぼ垂直に形成され、座金２の裾に多数の脚７が切り欠き９で区画されて形成され、各脚７の下端が裾広がり（外側広がり）に形成されている。この構造とすることにより、座金２はボルト、ナット等の螺子類を締付けて締付け対象物に押し付けると圧縮されて復元バネ力が蓄勢される。座金２の形状は図１に示す形状に限られず、上から下まで垂直な筒状のものとか、図５のような傘状とか、上部３が無い形状とか、他の形状、構造とすることができる。上部３が無い場合は、嵌合突起４は脚７の上縁から内側向きに突設する。いずれの場合も螺子類を締付けて押し付けると圧縮して復元バネ力が蓄勢されるようにする。
【００１６】
前記脚７は座金２の下部を切り欠き９で分割することにより、その切り欠き９間に形成されているが、図４のように座金２の下部にスリット１０を入れることにより区画して形成することもできる。前記脚７はその下部が図３に示すように座金２の外側に湾曲させて裾広がり形成されているが、それとは逆に内側に湾曲させて内側萎みに形成することもできる。脚７の下部を裾広がりとすれば前記圧縮によって更に裾広がりになり易く、内側萎みにすれば前記圧縮によって更に内側萎みになり易い。更に裾広がりになる、更に内側萎みになると、脚７と締め付け対象物との接触面積が広くなって摩擦抵抗が大きくなるため、締付けた螺子類も一層緩みにくくなる。
【００１７】
前記嵌合突起４は図１〜図３に示すように座金２の孔６の内周面８より内側に突出している。嵌合突起４は内周面８の三箇所に形成してあるが、その数はそれより多くて少なくても多くてもよく、形状も図示した以外の形状であってもよい。脚７の本数、長さ、幅等は任意に選択することができる。
【００１８】
（緩み止め座金付き螺子類の実施形態１）
本発明の緩み止め座金付き螺子類の実施形態の一例を図６、図７を参照して説明する。図６に示す緩み止め座金付き螺子類は螺子類がボルトの場合であり、前記図１〜図５の緩み止め座金１をボルト１１の頭部１２の裏面側に取付けたものである。
【００１９】
図６に示す緩み止め座金付きボルトを形成するには、図７に示す螺子転造前のボルト杆１３を座金２の孔６に挿通させてから、同ボルト杆１３の外周面に螺子山を転造し、この螺子山の外径を座金２の嵌合突起４の先端を結ぶ内径よりも大きくすることにより座金２がボルト杆１３から抜け落ちない（脱落しない）ようにし、しかも、ボルト杆１３の根元部分１４に螺子山を切らないで、その根元部分１４で座金２がその軸線方向にスライドし周方向に回転できるようにしてある。更に図７に示すようにボルト杆１３の根元部分１４の数箇所に嵌合受け部１５が形成されている。嵌合受け部１５は前記座金２の嵌合突起４が嵌合する箇所であり、嵌合突起４が嵌合できるサイズ、深さに凹陥させてある。その数は嵌合突起４の数と同じかそれよりも多くしてある。
【００２０】
（緩み止め座金付き螺子類の実施形態２）
本発明の緩み止め座金付き螺子類の他の実施例を図８に基づいて詳細に説明する。この緩み止め座金付き螺子類は螺子類がナットの場合であり、前記図１〜図５の緩み止め座金１を図９に示すナット１６の頭部１７の裏面側に取付けたものである。このナット１６の裏面には図９に示すように筒状の取付け部１８が突設されており、取付け部１８は座金２の孔６に差込みできる太さの外径であり、その外周の根元側数箇所に嵌合受け部１５が形成されている。この嵌合受け部１５も座金２の嵌合突起４が嵌合する箇所であり、嵌合突起４が嵌合できるサイズ、深さに凹陥してある。その数も嵌合突起４の数と同じかそれよりも多くしてある。
【００２１】
図８に示す座金付きナットを形成するには、図９に示すナット１６の取付け部１８を緩み止め座金１の孔６に挿通させた後、同取付け部１８の先端部（下端部）を外側に拡げて緩み止め座金１が取付け部１８から抜け落ちないようにする。この場合、緩み止め座金１が取付け部１８の軸線方向にスライドでき、周方向に回転できるようにしてある。
【００２２】
図６の緩み止め座金付きボルトと、図８の緩み止め座金付きナットを用いて二枚の部材（締付け対象物と連結材）を連結するには、例えば図１０のようにする。
（１）図１０に示すように重ねた２枚の締付け対象物（連結材）２０と２１に図６に示す緩み止め座金付きボルト１９を差込み、そのボルトに下方から図８の緩み止め座金付きナット２２を螺合させ、緩み止め座金付きボルト１９を締付けるか緩み止め座金付きナット２２を締付けるかして、そのボルト１９とナット２２の頭部裏面で緩み止め座金１を押して圧縮し、夫々の緩み止め座金１の脚７を締付け対象物２０、２１に強く接触させる。
（２）締付けを更に進めて緩み止め座金１を更に圧縮し、脚７の下端部を締付け対象物２０、２１に押し付けて脚７が外周方向に押し開かれて、脚７に復元バネ力が蓄勢され、締付け対象物２０、２１が確実に固定される。このとき、嵌合突起４が内側に押されて緩み止め座金付きボルト１９、緩み止め座金付きナット２２の嵌合受け部１５内に嵌合して座金１の回転が規制される。
（３）前記固定後に振動等により緩み止め座金付きボルト１９、緩み止め座金付きナット２２に緩む方向の力（締付け方向と逆方向の力）が加わっても、緩み止め座金１に蓄勢された復元バネ力に加えて、嵌合突起４の嵌合受け部１５への嵌合や、複数本の脚７の締付け対象物２０、２１への押し付けによる摩擦力によって逆回転が阻止され、緩み止め座金付きボルト１９、緩み止め座金付きナット２２の緩みが防止される。
【００２３】
（緩み止め座金のその他の実施形態）
本発明の緩み止め座金は、前記のように予めボルトやナット等の螺子類の頭部裏面側に取付けて緩み止め座金付きボルト１９、緩み止め座金付きナット２２として使用する場合に限らず、通常の座金と同様に使用時にボルトやナット等の螺子類にセットして使用することもできるのは当然である。
【産業上の利用可能性】
【００２４】
本発明の緩み止め座金はボルトやナットとの組み合わせに限らず、ゴルフシューズ用鋲、陸上競技スパイク用鋲、サッカーシューズ用鋲といった任意の鋲と組み合わせて使用することもできる。また、鋲には限られず、ビス等、他の任意の螺子類にも取付けて使用することができる。また、本発明の緩み止め座金付き螺子類はボルトやナットに組み付けるだけでなく、前記した各種鋲の裏面側に組み付けたものとすることもできる。また、本発明の緩み止め座金、緩み止め座金付き螺子類は土木、建築の現場での資材の連結や、土木機械、建築機械、輸送機械、送電装置等の組み立てといったあらゆる産業分野で利用することが可能である。
【図面の簡単な説明】
【００２５】
【図１】本発明の緩み止め座金の実施形態の一例を示す斜視図。
【図２】図１の緩み止め座金の圧縮時の斜視図。
【図３】図１に示す緩み止め座金を示す断面図。
【図４】本発明の緩み止め座金の他の実施形態を示す斜視図。
【図５】図４の緩み止め座金の断面図。
【図６】本発明の緩み止め座金付き螺子類（緩み止め座金付きボルト）の実施形態の一例を示す一部縦断の正面図。
【図７】螺子山転造前のボルトへの緩み止め座金の取り付け説明図。
【図８】本発明の緩み止め座金付き螺子類（緩み止め座金付きナット）の実施形態の一例を示す一部縦断の正面図。
【図９】ナットへの緩み止め座金の取り付け説明図。
【図１０】本発明の緩み止め座金付きボルトと緩み止め座金付きナットを使用して締付け対象物を連結する場合の説明図。
【図１１】従来技術の緩み止め座金付きボルトの使用説明図。
【符号の説明】
【００２６】
１  緩み止め座金
２  座金
３  座金の上部
４  嵌合突起
５  座金の側面（外周面）
６  座金の孔
７  脚
８  孔の内周面
９  切り欠き
１０  スリット
１１  ボルト
１２  ボルトの頭部
１３  ボルト杆
１４  ボルト杆の根元部分
１５  嵌合受け部
１６  ナット
１７  ナットの頭部
１８  ナットの取付け部
１９  緩み止め座金付きボルト
２０、２１  締付け対象物
２２  緩み止め座金付きナット
【図１】
2006307963.tif 000003
【図２】
2006307963.tif 000004
【図３】
2006307963.tif 000005
【図４】
2006307963.tif 000006
【図５】
2006307963.tif 000007
【図６】
2006307963.tif 000008
【図７】
2006307963.tif 000009
【図８】
2006307963.tif 000010
【図９】
2006307963.tif 000011
【図１０】
2006307963.tif 000012
【図１１】
2006307963.tif 000013